【手続補正書】
【提出日】平成19年10月4日(2007.10.4)
【手続補正１】
【補正対象書類名】明細書
【補正対象項目名】特許請求の範囲
【補正方法】変更
【補正の内容】
【特許請求の範囲】
【請求項１】  流体流から塩基汚染物質を除去するためのファイバマットを有するフィルタであって、
各々のファイバが複数の長手方向に延びた内部キャビティを画定し、各キャビティが前記ファイバの外表面への開口を有する、複数の細長いファイバと、
前記細長いファイバの前記内部キャビティ内に配置され、前記塩基汚染物質と化学的に反応する試薬とを備えてなり、
前記試薬が、前記内部キャビティ内に保持され、前記フィルタを通して向けられた前記流体流に露出され、
前記試薬が前記塩基汚染物質と反応するようにされている、フィルタ。
【請求項２】  前記ファイバが、前記ファイバの前記外表面への前記開口と関連する複数のキャップ付きローブを有する請求項１に記載のフィルタ。
【請求項３】  前記キャップ付きローブがＴ字状である、請求項２に記載のフィルタ。
【請求項４】  前記内部キャビティが３つある、請求項１に記載のフィルタ。
【請求項５】  前記試薬が、アンモニウムおよびアミンからなる群から選択された前記塩基汚染物質と反応するようにされている、請求項１に記載のフィルタ。
【請求項６】  前記内部キャビティ内に配置された吸着性固体を更に有しており、前記吸着性固体がゼオライト、アルミニウムオキサイド、活性炭、およびシリカからなる群から選択される、請求項１に記載のフィルタ。
【請求項７】  前記吸着性固体が、酸、調整剤、錯化剤、および潮解性剤からなる群から選択される試薬によって含浸されている、請求項６に記載のフィルタ。
【請求項８】  前記試薬が、酸、調整剤、錯化剤、および潮解性剤からなる群から選択される、請求項１に記載のフィルタ。
【請求項９】  前記酸が、りん酸、硫酸、ホウ酸からなる群から選択された無機酸である、請求項８に記載のフィルタ。
【請求項１０】  前記酸が、クエン酸、乳酸、マレイン酸、フマル酸、カプロン酸、ラウリン酸、シュウ酸、マロン酸、酒石酸、コハク酸、サリチル酸、およびリンゴ酸からなる群から選択された、モノカルボン有機酸、ジカルボン有機酸、またはトリカルボン有機酸である、請求項８に記載のフィルタ。
【請求項１１】  前記試薬が液体である、請求項８に記載のフィルタ。
【請求項１２】  前記試薬が固体である、請求項８に記載のフィルタ。
【請求項１３】  各前記層で、前記試薬が、酸、調整剤、錯化剤、および潮解性剤を含む群から選択されており、
各前記ファイバ層が異なる試薬を含む、請求項１に記載のフィルタ。
【請求項１４】  前記ファイバが、前記ファイバの前記外表面への前記開口と関連する複数のキャップ付きローブを有する、請求項１３に記載のフィルタ。
【請求項１５】  前記キャップ付きローブがＴ字状である、請求項１３に記載のフィルタ。
【請求項１６】  前記内部キャビティが３つある、請求項１３に記載のフィルタ。
【請求項１７】  前記試薬が、アンモニウムおよびアミンからなる群から選択された前記塩基汚染物質と反応するようにされている、請求項１３に記載のフィルタ。
【請求項１８】  前記内部キャビティ内に配置された吸着性固体を更に有しており、前記吸着性固体がゼオライト、アルミニウムオキサイド、活性炭、およびシリカからなる群から選択される、請求項１３に記載のフィルタ。
【請求項１９】  前記吸着性固体が、酸、調整剤、錯化剤、および潮解性剤からなる群から選択される試薬によって含浸されている、請求項１８に記載のフィルタ。
【請求項２０】  前記酸が、りん酸、硫酸、ホウ酸からなる群から選択された無機酸である、請求項１３に記載のフィルタ。
【請求項２１】  前記酸が、クエン酸、乳酸、マレイン酸、フマル酸、カプロン酸、ラウリン酸、シュウ酸、マロン酸、酒石酸、コハク酸、サリチル酸、およびリンゴ酸からなる群から選択された、モノカルボン有機酸、ジカルボン有機酸、またはトリカルボン有機酸である、請求項１３に記載のフィルタ。
【請求項２２】  前記試薬が液体である、請求項１３に記載のフィルタ。
【請求項２３】  前記試薬が固体である、請求項１３に記載のフィルタ。
【請求項２４】  空気流から塩基汚染物質を除去するためのフィルタリングシステムであって、
前記空気流が入る入口および前記空気流が出る出口を備えるハウジングと、
前記ハウジング内に配置される請求項１に記載のフィルタとを有している、フィルタリングシステム。
【請求項２５】  前記ファイバが、前記ファイバの前記外表面への前記開口と関連する複数のキャップ付きローブを有する、請求項２４に記載のフィルタ。
【請求項２６】  前記キャップ付きローブがＴ字状である、請求項２４に記載のフィルタ。
【請求項２７】  前記内部キャビティが３つある、請求項２４に記載のフィルタ。
【請求項２８】  前記試薬が、アンモニウムおよびアミンからなる群から選択された前記塩基汚染物質と反応するようにされている、請求項２４に記載のフィルタ。
【請求項２９】  前記内部キャビティ内に配置された吸着性固体を更に有しており、前記吸着性固体がゼオライト、アルミニウムオキサイド、活性炭、およびシリカからなる群から選択される、請求項２４に記載のフィルタ。
【請求項３０】  前記吸着性固体が、酸、調整剤、錯化剤、および潮解性剤からなる群から選択される試薬によって含浸されている、請求項２９に記載のフィルタ。
【請求項３１】  前記試薬が、酸、調整剤、錯化剤、および潮解性剤からなる群から選択される、請求項２９に記載のフィルタ。
【請求項３２】  前記酸が、りん酸、硫酸、ホウ酸からなる群から選択された無機酸である、請求項３１に記載のフィルタ。
【請求項３３】  前記酸が、クエン酸、乳酸、マレイン酸、フマル酸、カプロン酸、ラウリン酸、シュウ酸、マロン酸、酒石酸、コハク酸、サリチル酸、およびリンゴ酸からなる群から選択された、モノカルボン有機酸、ジカルボン有機酸、またはトリカルボン有機酸である、請求項３１に記載のフィルタ。
【請求項３４】  前記試薬が液体である、請求項３１に記載のフィルタ。
【請求項３５】  前記試薬が固体である、請求項３１に記載のフィルタ。
【請求項３６】  空気流からアンモニウムおよびアミンを除去するためのファイバマットを有するフィルタであって、前記ファイバマットが、
各々のファイバが複数の長手方向に延びた内部キャビティを画定し、各キャビティが前記ファイバの外表面への開口を有する、複数の細長いファイバと、
前記細長いファイバの前記内部キャビティ内に配置された酸とを備えてなり、
前記酸が、前記内部キャビティ内に保持され、前記フィルタを通して向けられた前記空気流に露出され、
前記酸が前記アンモニウムおよびアミンの少なくとも一部と反応し、前記内部キャビティ内に保持される塩を形成する、フィルタ。
【請求項３７】  前記ファイバが、前記ファイバの前記外表面への前記開口と関連する複数のキャップ付きローブを有する、請求項３６に記載のフィルタ。
【請求項３８】  前記キャップ付きローブがＴ字状である、請求項３６に記載のフィルタ。
【請求項３９】  前記内部キャビティが３つある、請求項３６に記載のフィルタ。
【請求項４０】  前記酸が液体である、請求項３６に記載のフィルタ。
【請求項４１】  前記酸が固体である、請求項３６に記載のフィルタ。
【請求項４２】  前記酸が、りん酸、硫酸、ホウ酸からなる群から選択された無機酸である、請求項３６に記載のフィルタ。
【請求項４３】  前記酸が、クエン酸、乳酸、マレイン酸、フマル酸、カプロン酸、ラウリン酸、シュウ酸、マロン酸、酒石酸、コハク酸、サリチル酸、およびリンゴ酸からなる群から選択された、モノカルボン有機酸、ジカルボン有機酸、またはトリカルボン有機酸である、請求項３６に記載のフィルタ。
【請求項４４】  流体流からアンモニウムおよびアミンを取り除く方法であって、
各々のファイバが複数の長手方向に延びた内部キャビティを画定し、各キャビティが前記ファイバの外表面への開口を有する、複数の細長いファイバと、
前記内部キャビティ内に保持されるように、前記細長いファイバの前記内部キャビティ内に配置された酸とを備えてなるフィルタを用意する段階と、
前記フィルタを通して前記流体流を向ける段階とを備えてなり、前記フィルタ中の前記酸が前記アンモニウムおよびアミンの少なくとも一部と反応し、前記内部キャビティ内に保持される塩を形成する、流体流からアンモニウムおよびアミンを取り除く方法。
【請求項４５】  前記ファイバが、前記ファイバの前記外表面への前記開口と関連する複数のキャップ付きローブを有する、請求項４４に記載の方法。
【請求項４６】  前記キャップ付きローブがＴ字状である、請求項４４に記載の方法。
【請求項４７】  前記内部キャビティが３つある、請求項４４に記載の方法。
【請求項４８】  前記酸が液体である、請求項４４に記載の方法。
【請求項４９】  前記酸が固体である、請求項４４に記載の方法。
【請求項５０】  前記酸が、りん酸、硫酸、ホウ酸からなる群から選択された無機酸である、請求項４４に記載の方法。
【請求項５１】  前記酸が、クエン酸、乳酸、マレイン酸、フマル酸、カプロン酸、ラウリン酸、シュウ酸、マロン酸、酒石酸、コハク酸、サリチル酸、およびリンゴ酸からなる群から選択された、モノカルボン有機酸、ジカルボン有機酸、またはトリカルボン有機酸である、請求項４４に記載の方法。